(57)【要約】      （修正有）【課題】乳幼児用の枕の形態を工夫することにより、乳幼児の頭部と体躯を結ぶ線が略水平線状となることを回避し、授乳直後の乳幼児に特有の「吐き戻し」、「げっぷ」、「鼻詰まり」等の諸現象を防止する。【解決手段】軟質材（ポリウレタン）を布袋で掩覆した乳幼児用枕であり、側面の形状が３角形状で、乳幼児の体躯側に位置する角の角度が５°〜２０°、望ましくは７°〜１５°、さらに望ましくは９°〜１１°の範囲内である乳幼児用枕を提供する。【選択図】図１
0003104422.tif 000002
【実用新案登録請求の範囲】
【請求項１】
軟質材を布袋で掩覆した乳幼児用枕であり、側面の形状が３角形状で、該３角形状を構成する３つの角のうちの乳幼児の体躯側に位置する角の角度が５°〜２０°の範囲内であり、望ましくは７°〜１５°の範囲内であり、さらに望ましくは９°〜１１°の範囲内であることを特徴とする乳幼児用枕。
【請求項２】
上記軟質材が外袋と中袋の２重の布袋で掩覆される構成で、上記軟質材の一端が上記軟質材を直接掩覆する中袋の一端と重ねられて縫製されていることを特徴とする請求項１に記載の乳幼児用枕。
【考案の詳細な説明】
【技術分野】
【０００１】
本考案は、乳幼児用枕に関するものであり、さらに詳しくは以下の構成を有する乳幼児用枕に関するものである。
＜構成１＞
軟質材を布袋で掩覆した乳幼児用枕であり、側面の形状が３角形状で、該３角形状を構成する３つの角のうちの乳幼児の体躯側に位置する角の角度が５°〜２０°の範囲内であり、望ましくは７°〜１５°の範囲内であり、さらに望ましくは９°〜１１°の範囲内であることを特徴とする乳幼児用枕。
＜構成２＞
上記軟質材が外袋と中袋の２重の布袋で掩覆される構成で、上記軟質材の一端が上記軟質材を直接掩覆する中袋の一端と重ねられて縫製されていることを特徴とする構成１に記載の乳幼児用枕。
【背景技術】
【０００２】
従来の乳幼児用枕としては、下記特許文献１、２に示すようなものが知られている。特許文献１の「乳児用枕」は、ドーナツ形状で、該ドーナツ形状を略４等分し、それぞれ相対する部位を薄肉部と厚肉部に４区分に形成した構成で、中央部のドーナツ形状の孔の部分に頭部が嵌入し、頭部左右に厚肉部を位置させることにより乳幼児の頭部を安定させ、乳幼児の頭部の変形を防止する効果があるとされる。しかしながら、該乳児用枕は、確かに乳幼児の頭部を安定させる効果はあるものの、中央部のドーナツ形状の孔の部分に頭部が嵌入するので、乳幼児の頭部と体躯を結ぶ線が略水平線状となる。この結果、授乳直後の乳幼児においては、一旦体内に飲下された母乳や乳児用ミルク等が食道から口腔内に逆流現象を起こし、所謂「吐き戻し」といわれる一旦体内に飲下された母乳や乳児用ミルク等を口腔内から外部に吐き戻す現象や所謂「げっぷ」、あるいは母乳や乳児用ミルク等が鼻腔内に浸入することによる所謂「鼻詰まり」等、乳幼児特有の諸現象が誘発されることとなる。
【０００３】
また、特許文献２に示す「乳児用枕」は、水等の液体を内部に封入した柔らかい枕で、乳幼児の頭部の形態や寝癖等によって自由に変形する構成であり、特許文献１に示す「乳児用枕」同様乳幼児の頭部の変形を防止する効果があるとされる。しかしながら、その構成が柔らかいことから、やはり乳幼児の頭部と体躯を結ぶ線が略水平線状となり、この結果、特許文献１の「乳児用枕」同様、授乳直後の乳幼児に対しては「吐き戻し」、「げっぷ」、「鼻詰まり」等、乳幼児特有の諸現象が誘発されることには変わりがなかった。
【特許文献１】実開平４−７４０７３
【特許文献２】特開２００１−４６２０２
【考案の開示】
【考案が解決しようとする課題】
【０００４】
本考案は、乳幼児用の枕の形態を工夫することにより、乳幼児の頭部と体躯を結ぶ線が略水平線状となることを回避し、授乳直後の乳幼児に特有の「吐き戻し」、「げっぷ」、「鼻詰まり」等の諸現象を防止することを課題とする。
【課題を解決するための手段】
【０００５】
本考案は上記課題を解決するためになされたものであり、以下の解決手段を提供するものである。
＜解決手段１＞
軟質材を布袋で掩覆した乳幼児用枕であり、側面の形状が３角形状で、該３角形状を構成する３つの角のうちの乳幼児の体躯側に位置する角の角度が５°〜２０°の範囲内であり、望ましくは７°〜１５°の範囲内であり、さらに望ましくは９°〜１１°の範囲内であることを特徴とする乳幼児用枕。
＜解決手段２＞
上記軟質材が外袋と中袋の２重の布袋で掩覆される構成で、上記軟質材の一端が上記軟質材を直接掩覆する中袋の一端と重ねられて縫製されていることを特徴とする解決手段１に記載の乳幼児用枕。
【考案の効果】
【０００６】
本考案の解決手段１の考案によれば、軟質材を布袋で掩覆した乳幼児用枕であって、側面の形状が３角形状で、該３角形状を構成する３つの角のうちの乳幼児の体躯側に位置する角の角度が５°〜２０°の範囲内であり、望ましくは７°〜１５°の範囲内であり、さらに望ましくは９°〜１１°の範囲内であることを特徴とする乳幼児用枕であるので、乳幼児の頭部と体躯を結ぶ線が略水平線状となることが回避され、この結果、授乳直後の乳幼児に特有の「吐き戻し」、「げっぷ」、「鼻詰まり」等の諸現象を防止することができる。
【０００７】
本考案の解決手段２の考案によれば、上記軟質材が外袋と中袋の２重の布袋で掩覆される構成で、上記軟質材の一端が上記軟質材を直接掩覆する中袋の一端と重ねられて縫製されていることを特徴とする乳幼児用枕であるので、上記軟質材が中袋の内部で安定し、長期に亘って上記解決手段１の考案に示す形状を保持することができるものである。
【０００８】
本考案の実施例１の考案によれば、本考案の実施例１の乳幼児用枕はその上面の横幅が乳幼児の頭部の３〜４倍程度であるので、上面に載置された乳幼児の頭部が安定し、これにより本考案の本来の作用効果である授乳直後の乳幼児に特有の「吐き戻し」、「げっぷ」、「鼻詰まり」等の諸現象を防止する作用効果も極めて安定的に発揮されるものである。
【考案を実施するための最良の形態】
【０００９】
本考案を実施するための最良の形態を、以下に図面を参照しながら詳細に説明する。
【実施例１】
【００１０】
＜実施例１の構成＞
図１ａは本考案の実施例１の乳幼児用枕Ｐの外観斜視図である。本考案の実施例１の乳幼児用枕Ｐの本体１は、図１ａ、図２ａ〜図２ｄに示すように、略長方形状の上面１１、略長方形状の底面１２、略鋭角３角形状の左側面１３、右側面１４、略長方形状の背面１５、略長方形状の正面１６より構成されており、左側面１３の先端部１３ａと右側面１４の先端部１４ａは丸められている。右側面１４の先端部１４ａがなす角度αは１０°であり、図１ａでは見えていないが、左側面１３の先端部１３ａがなす角度αも１０°である。また、図１ａの角度Ｒは直角であり、右側面１４は角度αが１０°、角度Ｒが直角である略直角３角形状である。なお、左側面１３も同一形状である。また、上面１１は横幅ｘ（図２ａ参照）が約５８ｃｍで、これは、通常の乳幼児Ｂの頭部Ｂ１（図１ｂ参照）の約３〜４倍の寸法である。さらに、上面１１の奥行きｙ（図２ａ参照）は約３５ｃｍで、これは、通常の乳幼児Ｂの頭部Ｂ１（図１ｂ参照）の２倍近い寸法である。
【００１１】
実施例１の乳幼児用枕Ｐは、図２ａ、図２ｂに示すように、外袋２、中袋３、軟質材製のクッション４から構成されていて、中袋３がクッション４を掩覆し、外袋２が中袋３を掩覆している。外袋２の上面２１は本体１の上面１１に一致し、外袋２の底面２２は本体１の底面１２に一致し、外袋２の左側面２３は本体１の左側面１３に一致し、外袋２の右側面２４は本体１の右側面１４に一致し、外袋２の背面２５は本体１の背面１５に一致し、外袋２の正面２６は本体１の正面１６に一致する。なお、外袋２は上面２１、左側面２３、右側面２４、背面２５、正面２６が綿とポリエステルを混紡した布製であり、底面２２はポリエステル１００％の不織布製である。
【００１２】
外袋２の底面２２は図２ｂ〜図２ｄに示すように全体形状は略長方形状で、上記のようにポリエステル１００％の不織布製であり、背面２５に近い部分にマチ２２ａが設けられていてマチ２２ａの内部にはファスナー２２ｂが設けられており、底面２２はファスナー２２ｂによって開閉自在となっていて、ファスナー２２ｂを開くことにより中袋３を脱抜できるようになっている。また、底面２２にはポリエステル製の微小な突起２２ｃ、２２ｃ、…が溶着突設されているが、突起２２ｃ、２２ｃ、…は滑り止めである。
【００１３】
中袋３はポリエステル１００％の布製で、図３ａに示すように本体１あるいは外袋２と略同一形状で、やはり本体１あるいは外袋２と略同一形状の軟質材（ポリウレタン）製のクッション４を掩覆している。中袋３の先端部分３ａは図３ｂの断面図に示すように上面３１の先端部分３１ａと底面３２の先端部分３２ａの中間にクッション４の先端部分４ａを挟着した状態で縫合糸Ｃが先端部分３１ａ、先端部分４ａ、先端部分３２ａを重ねた状態で縫合しており、その外観は図３ａに示すような状態である。
【００１４】
＜実施例１の作用＞
実施例１の乳幼児用枕Ｐは図１ｂに示すように、上面１１の中央のやや正面１６寄りの部分に乳幼児Ｂの頭部Ｂ１を載置して使用される。この際、乳幼児Ｂの頸部Ｂ２が先端部分１ａ近傍に位置することとなる。この時、図１ｃに示すように、乳幼児用枕Ｐの上面１１は水平面（布団Ｓの上面）から角度αだけ傾いているので、乳幼児Ｂの頭部Ｂ１は後頭部Ｂ１ａが多少上面１１に沈下しながらも持ち上げられる形となり、乳幼児Ｂの頭部Ｂ１と頸部Ｂ２を結ぶ線βも水平面に対して角度α近傍の角度をなすこととなる。これがために、授乳直後の乳幼児においても、一旦体内に飲下された母乳や乳児用ミルク等が食道から口腔内に逆流現象を起こすことがなく、気管の通りも良くなり、所謂「吐き戻し」といわれる一旦体内に飲下された母乳や乳児用ミルク等を口腔内から外部に吐き戻す現象や所謂「げっぷ」、あるいは母乳や乳児用ミルク等が鼻腔内に浸入することによる所謂「鼻詰まり」等、乳幼児特有の諸現象の誘発が防止されるものである。
【００１５】
なお、上記角度αは、実施例１の乳幼児用枕Ｐにおいては１０°に設定されているが、この角度αは、５°〜２０°の範囲内、望ましくは７°〜１５°の範囲内、さらに望ましくは９°〜１１°の範囲内の任意の値をとり得るものである。角度αが５°に満たないと、図１ｃにおいて乳幼児Ｂの頭部Ｂ１と頸部Ｂ２を結ぶ線βが水平線に対してなす角度が小となりすぎて「吐き戻し」、「げっぷ」、「鼻詰まり」等、乳幼児特有の諸現象の誘発を防止する効果が弱まり、角度αが２０°を超えると、乳幼児Ｂの頭部Ｂ１と頸部Ｂ２を結ぶ線βが水平線に対してなす角度が大となりすぎて乳幼児Ｂの頸部Ｂ２が急激に折れ曲がることとなり、安眠を妨害するばかりではなく、頸部Ｂ２が急激に折れ曲がることによる各種の障害を誘発することにもなりかねない。
【００１６】
また、実施例１の乳幼児用枕Ｐの中袋３の先端部分３ａは図３ｂの断面図に示すように上面３１の先端部分３１ａと底面３２の先端部分３２ａの中間にクッション４の先端部分４ａを挟着した状態で縫合糸Ｃが先端部分３１ａ、先端部分４ａ、先端部分３２ａを重ねた状態で縫合しているので、乳幼児用枕Ｐを使用し続けてもクッション４が中袋３の内部でずれたり変形を蒙ったりする心配がない。例えば、クッション４の先端部分４ａが上面３１の先端部分３１ａと底面３２の先端部分３２ａと一緒に縫合されていない場合には、使用を重ねることにより図３ｃに示すようにクッション４の先端部分４ａが中袋３の内部で変形を蒙り、先端部分３ａにクッション４が存在しない状態が発生してしまうが、図３ｂのような縫合状態により図３ｃのような事態を回避し、乳幼児用枕Ｐを長期に亘って使用し続け得るものである。
【００１７】
さらに、実施例１の乳幼児用枕Ｐの上面１１は横幅ｘ（図２ａ参照）が約５８ｃｍで、これは、通常の乳幼児Ｂの頭部Ｂ１（図１ｂ参照）の約３〜４倍の寸法であり、また、上面１１の奥行きｙ（図２ａ参照）は約３５ｃｍで、これは、通常の乳幼児Ｂの頭部Ｂ１（図１ｂ参照）の２倍近い寸法であるので、上面１１に乳幼児Ｂの頭部Ｂ１を載置した場合にも余裕があり、上面１１に載置された乳幼児Ｂの頭部Ｂ１が安定し、これにより本考案の本来の作用効果である授乳直後の乳幼児に特有の「吐き戻し」、「げっぷ」、「鼻詰まり」等の諸現象を防止する作用効果も極めて安定的に発揮されるものである。
【図面の簡単な説明】
【００１８】
【図１】（ａ）本考案の実施例１の乳幼児用枕の外観斜視図である。（ｂ）本考案の実施例１の乳幼児用枕の使用状態を説明する参考図である。（ｃ）本考案の実施例１の乳幼児用枕の使用状態を説明する参考図である。
【図２】（ａ）本考案の実施例１の乳幼児用枕の一部を欠截した平面図である。（ｂ）本考案の実施例１の乳幼児用枕の一部を欠截した正面図である。（ｃ）本考案の実施例１の乳幼児用枕の右側面図である。（ｄ）本考案の実施例１の乳幼児用枕の一部を欠截した底面図である。
【図３】（ａ）本考案の実施例１の乳幼児用枕の中袋の一部を欠截した外観斜視図である。（ｂ）図３ａのＡ−Ａ断面図のうち先端部分を拡大した拡大断面図である。（ｃ）中袋の先端部分とクッションの先端部分が縫合されていない状態の１例を説明する参考断面図である。
【符号の説明】
【００１９】
１      本体
１ａ    先端部分
１１    上面
１２    底面
１３    左側面
１４    右側面
１５    背面
１６    正面
２      外袋
２１    上面
２２    底面
２２ａ  マチ
２２ｂ  ファスナー
２２ｃ  突起
２３    左側面
２４    右側面
２５    背面
２６    正面
３      中袋
３ａ    先端部
３１    上面
３１ａ  先端部
３２    底面
３２ａ  先端部
４      クッション
４ａ    先端部
Ｂ      乳幼児
Ｂ１    頭部
Ｂ１ａ  後頭部
Ｂ２    頸部
Ｃ      縫合糸
Ｐ      乳幼児用枕
Ｒ      角度
Ｓ      布団
ｘ      横幅
ｙ      奥行き
α      角度
【図２】
0003104422.tif 000003
【図３】
0003104422.tif 000004
【図１】
0003104422.tif 000005